(57)【要約】【課題】  メインドーム体と左右のドーム体とを相互に凹凸嵌合させて支持力を保持するようにして、必要時には延長部を通じて相互が離隔して結合するようにすることで、使用者の趣向によって多様に変形設置可能な納骨墓を提供する。【解決手段】  本発明は、ドーム型の構造のメインドーム体１０と、メインドーム体１０の前面に収容されていると共に、地上に露出される位置に水平型の多数の納骨函２１で構成された納骨函部２０と、納骨函部２０下のメインドーム体１０から地下の方向に延びる地下埋設部３０と、前後の揺れを防止するように納骨函部２０と地下埋設部３０との境界面において地表面に露出された突起部４０と、を備え、突起部４０がメインドーム体１０の前面に形成された下敷型突起体４１と、メインドーム体１０の後面に形成されていると共に山型を成している後面突起体４２とを有する納骨墓である。【選択図】  図１
2010053684.tif 000002
【特許請求の範囲】
【請求項１】
ドーム型のメインドーム体（１０）と、
前記メインドーム体（１０）の前面に収容されていると共に、地上に露出される位置に水平型の多数の納骨函（２１）で構成された納骨函部（２０）と、
前記納骨函部（２０）の下のメインドーム体（１０）から地下の方向に延びる地下埋設部（３０）と、
前後の揺れを防止するように前記納骨函部（２０）と前記地下埋設部（３０）との境界面において地表面に露出される突起部（４０）と、
を備え、
前記突起部（４０）が、前記メインドーム体（１０）の前面に形成された下敷型突起体（４１）と、前記メインドーム体（１０）の後面に形成されていると共に、山型を成している後面突起体（４２）とを有することを特徴とする納骨墓。
【請求項２】
前記メインドーム体（１０）の左右の揺れを防止すると共に山型を成すように、該メインドーム体（１０）の左右側に左右のドーム体（５０、６０）が付け加えられており、該左右のドーム体（５０、６０）の前面には標識のための標識溝（５１、６１）が形成されていることを特徴とする請求項１に記載の納骨墓。
【請求項３】
山型を成すように、前記左右のドーム体（５０、６０）の裏面において地上に露出される部位には、後面突起体（５２、６２）が付加形成されていることを特徴とする請求項２に記載の納骨墓。
【請求項４】
前記納骨函（２１）は、夫婦の筆入れ型の遺骨函（１５、１６）が互いに隣合うように収容される大きさを有し、
前記遺骨函（１５、１６）のそれぞれの周囲は、除湿防腐機能を有する黄土及び炭の混合体１９で満たされており、
前記納骨函（２１）の前面には、該納骨函（２１）の前面が覆われるように該当の名前が記載された名札（１７、１８）が取り付けられていることを特徴とする請求項１に記載の納骨墓。
【請求項５】
前記メインドーム体（１０）には側面突起部（８０）が設けられており、対応する前記左右のドーム体（５０、６０）には前記側面突起部（８０）と相互に凹凸嵌合する側面溝部８５が設けられていることを特徴とする請求項２に記載の納骨墓。
【請求項６】
前記側面突起部（８０）の中央には水平結合溝（８１）が設けられており、前記水平結合溝（８１）及び前記側面溝部（８５）を挟んで結合して前記メインドーム体（１０）と前記左右のドーム体（５０、６０）との距離を離隔して支持する延長部（９０）が付け加えられていることを特徴とする請求項５に記載の納骨墓。
【請求項７】
前記延長部（９０）の一端には延長突起（９１）が形成されており、前記延長部（９０）の他端には別の延長突起（９１’）を嵌り込ませることで単位延長部（９０、９０’）の長さを延長させることが可能な延長溝（９２）が形成されていることを特徴とする請求項６に記載の納骨墓。
【発明の詳細な説明】
【技術分野】
【０００１】
本発明は納骨墓（ｃｈａｒｎｅｌ  ｈｏｕｓｅ）に関するものであり、特に納骨函が設けられたメインドーム体の納骨函部は地上に設置され、納骨函が設けられていないメインドーム体の下端の部位は地下に埋設され、納骨函の下端の地上部位には地面に載せられて前後の揺れを防ぐ突起部がメインドーム体に一体で形成され、メインドーム体の左右側には左右のドーム体が付け加えられて自然の山型を成すようなっている納骨墓に関するものである。
【背景技術】
【０００２】
一般的に納骨堂は、遺骨が入れた遺骨函を収容しており、遺族たちが必要な時に訪問することができる。納骨堂は、個々人を封墳型にする現在の葬礼方式に比べて必要な空間を大幅に減らした方式として愛用されている。
【０００３】
このような納骨堂は主に地下に埋設する方式なので、湿気の浸入及び洪水の時における遺失といった問題がある。
【０００４】
この問題を解消するために、地上に設置する方式の納骨堂が開発されており、韓国実用新案登録第２０−０３９９２９５号には引き出し式納骨堂が開示されている。この引き出し式納骨堂は、別の管理所(墓園、寺刹など)で別の追加室内空間を提供する建築構造物を作って保管する室内に適切な構造であり、山野に個人が設置するためには別の収容空間を確保しなければならないという問題点がある。
【０００５】
また上部開閉式の家族納骨墓が韓国特許登録第１０−０６３６５７３号に開示されている。これは地上に設置する納骨廟の内部空間に遺骨函を収容するようにすると共に、上面を開閉して遺骨函を保管及び引き出すようにする方式であるので、水平的な空間が必要な構造となり多くの遺骨函を積む方式としては採用しにくいのが実情である。
【０００６】
また、住宅型構造の納骨墓が韓国特許登録第１０−０６４３７７２号に記載されており、これは納骨墓を一般住宅形状で地上に設置する構造であるので、外観は荘厳で良いが費用が高く、また相対的に多くの面積を要する構造となり、大衆的ではないといった問題点がある。
【０００７】
また、地上の封墳型納骨墓が韓国特許登録第１０−０７４８０２４号に開示されており、これは一般的な封墳形状をして封墳中に納骨墓を成すように設置した構造である。従って、やはり封墳による空間の確保が必須で、また基本的な土地の面積が必要であるので非経済的である。
【発明の概要】
【発明が解決しようとする課題】
【０００８】
本発明はこのような問題を解決するためのものであり、本発明の目的はドーム型のメインドーム体を設け、メインドーム体の前面には地上に露出される水平型の地上の多数の納骨函で構成された納骨函部を収容し、納骨函部の下のメインドーム体には地下に埋設される地下埋設部と、前後の揺れを防止するように納骨函部と埋設部との境界面においてメインドーム体の前後に突き出された突起部とを設けることで、前後に揺れることなく安定的に設置及び保持が可能な納骨墓を提供することである。
【０００９】
本発明の他の目的は、メインドーム体の左右側に左右のドーム体を付け加えて自然の山型を成すようにして左右均衡の保持及び左右側におけるメインドーム体の傾きの防止を可能とすると共に、納骨墓の本館や所属の宗教機関などを表示する標識溝を設けて外部からの人が納骨墓の身分及び所属が容易に分かることが可能な納骨墓を提供することである。
【００１０】
本発明の別の目的は、一つの納骨函に夫婦の遺骨函を一緒に収容するようにすると共に、納骨函の前面には該当の遺骨函の名前を現わす名札を並べて設置し、容易に遺骨函を捜すことが可能な納骨墓（納骨壇）を提供することである。
【００１１】
本発明の他の目的は、メインドーム体の前面及び側面を除いた部分が、自然の山のように頂上を向けて、勾配を持たせた後面突起体を成すようして、空気の流れを邪魔することなく、また急激な風の流れにも自然的な防御機能をするドーム体を成すことで、左右の揺れ及び前後の揺れがなく、且つ風や洪水にも安定的な形態が保持可能な納骨墓を提供することである。
【００１２】
本発明の更なる別の目的は、メインドーム体の底の部分を地下埋設部として地下に埋設し、また納骨函を地上に位置させることで、木根や虫が土壌を通じて遺骨函に浸入することを防ぐことが可能な納骨墓を提供することである。
【００１３】
本発明のまた別の目的は、地下埋設部内部に山里函を設けて、遠い先祖の遺骨函を集めて置き、自然に帰るようにすることで、納骨函を半永久的に使用可能な納骨墓を提供することである。
【００１４】
本発明の更なる他の目的は、メインドーム体と左右のドーム体とを相互に凹凸嵌合させて支持力を保持するようにし、また必要時には延長部を通じてメインドーム体と左右のドーム体とを相互に離隔して結合させることで、使用者の趣向によって多様に変形設置が可能な納骨墓を提供することである。
【課題を解決するための手段】
【００１５】
本発明は、ドーム型のメインドーム体を構成し、メインドーム体の前面には地上に露出される水平型の地上の多数の納骨函で構成された納骨函部を形成し、納骨函部の下のメインドーム体部には地下に埋設され且つメインドーム体を固定する地下埋設部を形成し、納骨函部と埋設部との境界面には前後の揺れを防止する突起部を設けることで、前後に揺れることなくメインドーム体が安定的に設置及び保持可能な納骨墓を提供する。
【００１６】
以上のように本発明によれば、ドーム型のメインドーム体から地下へ延びる地下埋設部と、納骨函部と埋設部との境界面に前後の揺れを防止する突起体とが設けられているので、前後に揺れることなく安定的な設置及び保持が可能である。
【００１７】
本発明によれば、メインドーム体の左右側に左右のドーム体を付け加えることでメインドーム体が傾くことを防ぐことができると共に、納骨墓に本館や所属の宗教機関などを表示する標識溝を設けることで外部からの人が納骨墓の身分及び所属を容易に分かるようにすることか可能であり、且つメインドーム体と左右のドーム体とを一つの自然的な山型状を成すよう結合させることで、山と親しい家族的なイメージを与える納骨墓が提供される。
【００１８】
本発明によれば、一つの納骨函に夫婦の遺骨函が一緒に収容されと共に、納骨函の前面には該当の遺骨函の名札が並んで設置されるので、遺骨函を容易に捜すことができる。
【００１９】
本発明によれば、メインドーム体の前面及び側面を除いた部分が自然の山のように頂上を向けて勾配を成しているので、空気の流れを邪魔せず、急激な流れにも自然的な防御機能するので左右に揺れがなく、また風や洪水に対しても安定的に形態の保持が可能である。
【００２０】
本発明によれば、メインドーム体の底の部分が地下埋設部を成して地下に埋設され、納骨函が地上に位置するので、土壌を通じて木根や虫が遺骨函に浸入することを防ぐことが可能な納骨墓が提供される。
【００２１】
本発明によれば、地下埋設部の内部に山里葬場(自然葬)のための古い遺骨函を集団収容する山里函が設けられているので、遠い先祖の遺骨函を集めて自然に帰るようにすることができ、納骨函を半永久的に使用可能な納骨墓が提供される。
【００２２】
本発明によれば、メインドーム体と左右のドーム体とを相互に凹凸嵌合させて支持力を保持するようにして、必要時には延長部を通じて相互が離隔して結合するようにすることで、使用者の趣向によって多様に変形設置可能な納骨墓が提供される。
【図面の簡単な説明】
【００２３】
【図１】本実施形態に係る納骨墓の部解の斜示図である。
【図２】本実施形態に係る納骨墓の斜示図である。
【図３】本実施形態に係る納骨墓の側面図である。
【図４】図２のＡ−Ａ線の拡大断面図である。
【図５】本実施形態に係る納骨墓の要部拡大斜示図である。
【図６】図１のＢ−Ｂ線の拡大図である。
【図７】図６の他の実施例の図である。
【発明を実施するための形態】
【００２４】
以下の本発明の実施形態を図面を参照して詳しく説明する。図１は、本実施形態に係る納骨墓の分解斜示図であり、図２は本実施形態に係る納骨墓の斜示図であり、図３は本実施形態に係る納骨墓の側面図であり、図４は図２のＡ−Ａ線に沿った拡大断面図であり、図５は本実施形態に係る納骨墓の要部の拡大斜示図である。本実施形態に係る納骨墓は、ドーム型のメインドーム体１０と、メインドーム体１０の前面に収容され、且つ地上に露出される位置に多数の水平型の地上の納骨函２１で構成された納骨函部２０と、納骨函部２０の下のメインドーム体１０から地下へ延びる地下埋設部３０と、前後の揺れを防止するように納骨函部２０と地下埋設部３０との境界面において地表面に露出された突起部４０とを含んで構成される。
【００２５】
突起部４０は、メインドーム体１０の前面に形成された下敷型突起体４１と、メインドーム体１０の後面に形成されていると共に、山型を成している後面突起体４２とで構成される。メインドーム体１０の左右の揺れを防止すると共に山型を成すように、メインドーム体１０の左右側には左右のドーム体５０、６０を付け加え、左右のドーム体５０、６０の前面には標識のための標識溝５１、６１を形成する。左右のドーム体５０、６０の裏面において地上に露出される部位には、山型を成すようにする後面突起体５２、６２を付加形成する。
【００２６】
突起部４０と納骨函部２０との間の境界部には遺品函７０を設ける。また、遺品函７０の前面は写真溝７１を有する遺品函の蓋７２で開閉するように構成する。納骨函２１は、夫婦の筆入れ型の遺骨函１５１６が互いに隣合うように収容される大きさを有し、遺骨函１５、１６のそれぞれの周囲は、除湿防腐機能を有する黄土及び炭の混合体１９を満たして、納骨函２１の前面には納骨函２１の前面を覆うように該当の名前を記載した名札１７、１８を取り付ける。
【００２７】
本実施形態においては、名札１７、１８を取り付けるために、図４及び図５に示されるように納骨函２１に遺骨函１５、１６を収容し、遺骨函１５、１６の周囲には黄土及び炭の混合体１９をくるむように満たし(この場合、黄土及び炭の混合体１９は、除湿及び抗菌機能をする他の手段で取り替えることも可能であり、よく知られた様々な技術を利用して、形状もパウダー型、顆粒型、板材型などで具現可能であるので、単純に黄土及び炭の混合体で表記する)、納骨函２１の前面枠には柱溝２２を設け、柱溝２２には石材又は合成樹脂或いは木材の柱２３を建て、この柱に名札１７、１８が支持されるようにして名札１７、１８を接着剤などを使って取り付けることでシーリング結合させる。もちろん、他のシーリング可能な手段を使って固定及び分離可能になるように構成することもできる。
【００２８】
本実施形態において、遺品函７０は、突起部４０及び地下埋設部３０の空間部が同時に貫通するようにし、又は地下埋設部に内部空間を作り、あるいは別の空間を隣近に開閉可能に設け、憶えていない遠い先祖の遺骨函１５、１６を収納して自然的に自然に帰るようにすることで汚染防止という効果が得られる。
【００２９】
遺品函７０の遺品函の底７０−１の地下埋設部３０内部には、山里葬(自然葬)のための山里函７４を形成して、山里函７４には、遥かに遠い先祖の遺骨函を集団収容して自然に退化させて山里葬(自然葬)の機能をするように保管することが好ましい。
【００３０】
上記の遺品函の底７０−１には、山里函７４の上面を開くことができるように山里函の蓋７３を設け、山里函の蓋７３はヒンジや、スライドレールなどの多様な開閉手段を利用して設置可能である。メインドーム体１０には側面突起部８０を形成し、且つ対応する左右のドーム体５０、６０には側面溝部８５を設けて側面突起部８０と相互に凹凸嵌合するように構成すれば支持力保持に効果がある。
【００３１】
また、側面突起部８０の中央には水平結合溝８１を設け、且つ水平結合溝８１及び側面溝部８５に嵌り合うと共にメインドーム体１０と左右のドーム体５０、６０との距離を離隔させつつ支持する延長部９０を付け加えることで、メインドーム体１０と左右のドーム体５０、６０との隔離距離を保持することができ、また延長部９０を相互延長させる構造方式を用いるとメインドーム体１０と左右のドーム体５０、６０との隔離距離を調節することができる。このために、延長部９０の一端に延長突起９１を形成すると共に、延長部９０の他端に他の延長突起９１’が嵌合することで単位延長部９０、９０’の長さを延長可能にさせる延長溝９２を形成する。
【００３２】
このように構成された本実施形態では、納骨函２１が地上に位置するので、地下に位置する場合における湿気又は虫或いは木根の浸入の恐れがない。また、メインドーム体１０及び納骨函部２０は、耐火粘土を使って陶磁器のように火で焼いた耐火れんがの材質で製造することが好ましい。耐火れんがの例としては、珪石れんが、粘土質のれんが、高アルミニウムのれんが、クロム-マグネシアれんが、マグネシアれんががあり、これらを作る材料を使って予備ドーム体を作り、これを加熱成形してメインドーム体１０形を完成する。この成型体は微細な気穴を含んでおり、壷が息をするように通気が可能な構造であるので、遺骨函を損傷することなく保管するのに有利である。湿気の浸入を防ぐために、釉薬で上面を塗布し、又は防湿材質を上面に附着することが好ましい。
【００３３】
本実施形態において用いられる黄土は、湿度調節機能と、遠赤外線の放射で抗かび、悪臭除去機能を果たす作用があることが知られている性質を利用するものである。本実施形態において使う炭は、湿度調節機能と遠赤外線の放射で抗かび、悪臭除去、湿気除去をすることが知られている性質を利用するものである。本実施形態においては、メインドーム体１０を地上に残し、突起部４０が地表面に乗っかるようにし、地下埋設部３０を地下に埋設する。
【００３４】
このように、本実施形態においては、メインドーム体１０の前面に下敷型突起体４１を設けると共に、後面には後面突起体４２を設けることで、メインドーム体１０の前後の揺れを防ぐことができる。特に、後面突起体４２は、底が長く突き出て、上に行くほど突き出る長さが短くなる山型の形状を成すので、安定的な支持作用を得ることができると共に、山の下から吹いて来る風があってもメインドーム体１０の裏において吹いて来る風が山の上に上がって移る図３に示す矢印のように風が移動するので、物理的な力がメインドーム体１０に直接に持続的に加えられることを防ぐことができるので耐久性を増進させることができる。
【００３５】
また、雨が降っても垂直で当らずに後面突起体４２の勾配に沿って緩く降りるので、周辺の土壌消失を防ぐことができ、崩壊の事故が防止される。更に、雨が降ってもメインドーム体１０の後ろにおいて後面突起体４２が自然に雨水を分散させるので、メインドーム体の損傷を防ぐことができ、また前面の下敷型突起体４１が揺れを防止する力として作用するのでより安定的な支持構造が提供される。
【００３６】
また、図２に示されるように左右のドーム体５０、６０を付け加える場合、前面で見ると山型を成しているので安定的に見えると共に、物理的でも左右の揺れを防ぐように作用して物理的な安定機能が遂行される。また、標識溝５１、６１に標識版５３、６３を装着することで納骨墓の家族及び所属を容易に識別可能にさせる。また、メインドーム体１０の正面の上部に標識溝１１を設けて、標識溝１１に該当の標識版１３を取り付ければ、故人や家族の宗教が容易に分かることができる。
【００３７】
遺骨函１５、１６を香木などで製作すると、一定時間が経てば自然に分解されて自然親和型として作用するため、山川の汚染を防止することができる。遺品函７０の遺品函の底７０−１に山里函の蓋７３を設けて開閉可能にさせると共に、山里函の蓋７３の下に遥かに遠い先祖順序に遺骨函１５、１６を保管するようにすれば、該当の遺骨函が歳月が経って自然に回帰されるので、山里葬(自然葬)の機能を果たすと共に自然に帰るようにすることができる。すなわち、納骨函部２０がいっぱいになれば、遠い先祖から収去して遺品函７０又はその下の山里函７４或いは別の空間に収容するようにすれば、空になった納骨函部２０を再使用する方式で永久に使用可能となる。
【００３８】
また、本実施形態では、メインドーム体１０の左右側に側面突起部８０を設けると共に、対応する左右のドーム体５０、６０に側面溝部８５を設けて、相互に組み立てる時に凹凸嵌合させることで、支持力が強まり、左右の揺れを防ぐことができる。
【００３９】
また、図７に示されるように、側面突起部９０の水平結合溝８１に延長部９０の延長突起９１を嵌り込ませると共に、延長部９０の延長溝９２に他の延長部９０’の延長突起９１’を嵌り込ませ、且つ他の延長部９０’の他の端を左右のドーム体５０、６０の側面溝部８５に嵌り込ませることで、メインドーム体１０と右のドーム体５０とが一定の距離で離隔された状態で設置できることが分かる。この場合、必要に応じて延長部９０は一つだけ使うこともでき、また２個以上の延長部９０を相互に組立てて設置することもできる。
【符号の説明】
【００４０】
１０…メインドーム体、１１…標識溝、１３…標識版、１５、１６…遺骨函、１７、１８…名札、１９…黄土及び炭の混合体、２０…納骨函部、２１…納骨函、２２…柱溝、２３…柱、３０…地下埋設部、４０…突起部、４１…下敷型突起体、４２…後面突起体、５０…左のドーム体、５１…標識溝、５２…後面突起体、５３…標識版、６０…右のドーム体、６１…標識溝、６２…後面突起体、６３…標識版、７０…遺品函、７０−１…遺品函の底、７１…写真溝、７２…遺品函の蓋、７３…山里函の蓋、７４…山里函、８０…側面突起部、８１…水平結合溝、８５…側面溝部、９０、９０'…延長部、９１、９１'…延長突起、９２、９２'…延長溝。
【図１】
2010053684.tif 000003
【図２】
2010053684.tif 000004
【図３】
2010053684.tif 000005
【図４】
2010053684.tif 000006
【図５】
2010053684.tif 000007
【図６】
2010053684.tif 000008
【図７】
2010053684.tif 000009